(57)【要約】【課題】宅内の撮影画像を宅外から確認可能とする遠隔見守りシステムにおいて、宅内装置の構成が簡素で利便性に優れたスケジュール管理機能を実現できる。【解決手段】遠隔見守りシステム１は、インターネット８に接続されてユーザの宅内を撮影する宅内装置２と、宅内装置２による撮影画像をインターネット８経由で受信し、その画像をインターネット８経由で外部端末３に送信するサーバ装置４を備える。サーバ装置４は、外部端末３の操作により、行事当日の日付け、及び行事の何日か前の日であることを知らせる日である事前お知らせ日の日付けをユーザに入力させる。宅内装置２は、異なる複数の色に選択的に点灯可能なランプを有し、外部端末３の操作により入力された行事当日の日付け及び事前お知らせ日の日付けを基に、事前お知らせ日になったときと、行事当日になったときとで、ランプを異なる色に点灯させる。【選択図】図１
2006135610.tif 000002
【特許請求の範囲】
【請求項１】
ユーザの宅内に配置されて通信回線を介してインターネットに接続され、監視エリア内をカメラで撮影する宅内装置と、前記宅内装置にて撮影された画像を通信回線及びインターネットを介して受信すると共に、その画像をインターネット及び電話回線を介して外部端末に送信するサーバ装置とを備えた遠隔見守りシステムにおいて、
前記宅内装置は、ユーザのスケジュールを報知するための第１及び第２の異なる色に選択的に点灯可能な複数のランプと、ユーザのスケジュールに関するスケジュール情報が記憶されるスケジュールメモリと、日時を計測する計時手段と、宅内装置の動作を制御する宅内制御手段とを備え、
前記サーバ装置は、前記外部端末との間で電話回線及びインターネットを介して通信を行い、該外部端末の操作により、行事の当日であることを報知するための行事当日日付け、行事の何日か前の日であることを報知するための事前お知らせ日付け、及び行事についてのコメントを含むスケジュール情報を前記各ランプに対応付けて複数入力させるスケジュール入力手段と、前記スケジュール入力手段により入力されたスケジュール情報を前記各ランプに対応付けて記憶するスケジュール記憶手段と、前記スケジュール記憶手段に記憶されたスケジュール情報をインターネット及び通信回線を介して前記宅内装置に転送するスケジュール転送手段と、前記スケジュール記憶手段に記憶されたスケジュール情報をインターネット及び電話回線を介して前記外部端末に表示するスケジュール表示手段とを備え、
前記宅内制御手段は、前記スケジュール転送手段により転送されたスケジュール情報を前記各ランプに対応付けて前記スケジュールメモリに記憶するスケジュール記憶制御手段と、前記スケジュール記憶制御手段により前記スケジュールメモリに記憶されたスケジュール情報、及び前記計時手段の出力を基に、前記複数のランプの点灯動作を制御するスケジュール報知制御手段とを備え、該スケジュール報知制御手段は、前記スケジュールメモリに記憶されている各スケジュール情報について、前記計時手段から出力される日付けがスケジュール情報に含まれる事前お知らせ日付けになると、そのスケジュール情報に対応付けられたランプを第１の色に点灯させ、前記計時手段から出力される日付けがスケジュール情報に含まれる行事当日日付けになると、そのスケジュール情報に対応付けられたランプを第２の色に点灯させ、
前記ランプの点灯状態を確認することにより、また、前記外部端末にてスケジュール情報を表示させて行事についてのコメントを確認することにより、スケジュールを管理できる機能を付加したことを特徴とする遠隔見守りシステム。
【請求項２】
ユーザの宅内に配置されて通信回線を介してインターネットに接続され、監視エリア内をカメラで撮影する宅内装置と、前記宅内装置にて撮影された画像を通信回線及びインターネットを介して受信すると共に、その画像をインターネット及び電話回線を介して外部端末に送信するサーバ装置とを備えた遠隔見守りシステムにおいて、
前記宅内装置は、ユーザのスケジュールを報知するための異なる複数の色に選択的に点灯可能なランプと、宅内装置の動作を制御する宅内制御手段とを備え、
前記サーバ装置は、前記外部端末との間で電話回線及びインターネットを介して通信を行い、該外部端末の操作により、行事の当日であることを報知するための行事当日日付け、及び行事の何日か前の日であることを報知するための事前お知らせ日付けを含むスケジュール情報を入力させるスケジュール入力手段を備え、
前記宅内制御手段は、前記スケジュール入力手段により入力されたスケジュール情報を基に、前記ランプの点灯動作を制御するスケジュール報知制御手段を備え、該スケジュール報知制御手段は、スケジュール情報に含まれる事前お知らせ日付けになったときと、スケジュール情報に含まれる行事当日日付けになったときとで、前記ランプを異なる色に点灯させ、
前記ランプの点灯状態を確認することによりスケジュールを管理できる機能を付加したことを特徴とする遠隔見守りシステム。
【請求項３】
前記スケジュール入力手段は、行事当日日付け及び事前お知らせ日付けに加え、行事についてのコメントを含むスケジュール情報を入力させ、
前記サーバ装置は、前記スケジュール入力手段により入力されたスケジュール情報を記憶するスケジュール記憶手段と、前記スケジュール記憶手段に記憶されたスケジュール情報をインターネット及び電話回線を介して前記外部端末に表示するスケジュール表示手段とをさらに備え、
前記ランプの点灯状態を確認することに加え、前記外部端末にてスケジュール情報を表示させて行事についてのコメントを確認することにより、スケジュールを管理できるようにした請求項２に記載の遠隔見守りシステム。
【発明の詳細な説明】
【技術分野】
【０００１】
本発明は、例えば宅内に居る子供や老人、ペット等の状況を宅外から見守るために宅内の撮影画像を宅外から確認可能とする遠隔見守りシステムに関するものである。
【背景技術】
【０００２】
従来から、宅内の撮影画像を宅外から確認可能とする遠隔見守りシステムが知られている。例えば、カメラを備えた宅内装置を各ユーザの自宅に設置し、各宅内装置は、撮影した画像を通信回線及びインターネットを介してサーバ装置に送信し、サーバ装置は、さらに、その画像をインターネット及び電話回線を介して各ユーザの所持する外部端末に送信することで、各ユーザが自宅外から自宅内の様子を窺うことができるシステムがある。
【０００３】
一方、住宅用の監視システムにおいて、時刻を設定して、その設定時刻になるとアラーム音による報知を行わせることにより、スケジュール管理を行えるようにしたものが知られている（例えば、特許文献１参照）。また、時刻を設定して、その設定時刻になると発光素子を発光させるようにした発光式タイマ付き鏡が知られている（例えば、特許文献２参照）。また、携帯電話機を利用したスケジュール管理装置において、携帯電話機に時刻を設定して、その時刻になると携帯電話機にてアラーム音による報知を行わせるようにし、予告報知と本報知とでアラーム音の出力形態を変化させるようにしたものが知られている（例えば、特許文献３参照）。
【特許文献１】特開２００４−１３５１９７号公報
【特許文献２】特開２００３−７９４９５号公報
【特許文献３】特開２００４−１３８４８号公報
【発明の開示】
【発明が解決しようとする課題】
【０００４】
ところで、上述した従来の遠隔見守りシステムにおいては、例えばユーザが在宅しているときは、宅内の様子を宅外から見守る必要がないため、宅内の撮影画像をサーバ装置に送信する必要がない。つまり、宅内装置は、宅内の様子を宅外から見守る必要がない間は、宅内の撮影画像をサーバ装置に送信する必要がないため、使用されない状態になる。そこで、宅内の様子を宅外から見守る必要がないときに宅内装置を有効利用するために、遠隔見守りシステムに別の機能を付加することが考えられる。
【０００５】
遠隔見守りシステムに付加する別の機能としては、ユーザのスケジュールを管理する機能が考えられる。この場合、宅内装置が宅内に設置されるものであることを勘案したうえで、宅内装置の構成が簡素で利便性に優れたスケジュール管理機能を実現することが望まれる。
【０００６】
例えば、スケジュールを設定するための操作部を宅内装置に設ける構成では、宅内装置の構成が複雑化してしまう。また、アラーム音によりスケジュールを報知する構成では、ユーザが別の部屋など宅内装置の設置箇所から離れた場所に居ると、アラーム音が聞こえないため、スケジュール報知の役目を果たさない。ユーザが確認の操作を行うまでアラームを鳴らし続ける構成も考えられるが、例えば家族で居住している場合には、アラームが鳴り続けることは不具合であり、また、家族の誰かがスケジュールを設定した者に知らせずにアラームを停止させてしまう虞がある。このように、ブザー音によりスケジュールを報知する構成では、利便性に欠けたものとなる。なお、上述した特許文献１乃至特許文献３に開示の内容を適用したとしても、上記の課題を解決することはできない。
【０００７】
本発明は、上記課題を解決するためになされたものであり、宅内装置の構成が簡素で利便性に優れたスケジュール管理機能を実現できる遠隔見守りシステムを提供することを目的とする。
【課題を解決するための手段】
【０００８】
上記目的を達成するために請求項１の発明は、ユーザの宅内に配置されて通信回線を介してインターネットに接続され、監視エリア内をカメラで撮影する宅内装置と、宅内装置にて撮影された画像を通信回線及びインターネットを介して受信すると共に、その画像をインターネット及び電話回線を介して外部端末に送信するサーバ装置とを備えた遠隔見守りシステムにおいて、宅内装置は、ユーザのスケジュールを報知するための第１及び第２の異なる色に選択的に点灯可能な複数のランプと、ユーザのスケジュールに関するスケジュール情報が記憶されるスケジュールメモリと、日時を計測する計時手段と、宅内装置の動作を制御する宅内制御手段とを備え、サーバ装置は、外部端末との間で電話回線及びインターネットを介して通信を行い、該外部端末の操作により、行事の当日であることを報知するための行事当日日付け、行事の何日か前の日であることを報知するための事前お知らせ日付け、及び行事についてのコメントを含むスケジュール情報を各ランプに対応付けて複数入力させるスケジュール入力手段と、スケジュール入力手段により入力されたスケジュール情報を各ランプに対応付けて記憶するスケジュール記憶手段と、スケジュール記憶手段に記憶されたスケジュール情報をインターネット及び通信回線を介して宅内装置に転送するスケジュール転送手段と、スケジュール記憶手段に記憶されたスケジュール情報をインターネット及び電話回線を介して外部端末に表示するスケジュール表示手段とを備え、宅内制御手段は、スケジュール転送手段により転送されたスケジュール情報を各ランプに対応付けてスケジュールメモリに記憶するスケジュール記憶制御手段と、スケジュール記憶制御手段によりスケジュールメモリに記憶されたスケジュール情報、及び計時手段の出力を基に、複数のランプの点灯動作を制御するスケジュール報知制御手段とを備え、該スケジュール報知制御手段は、スケジュールメモリに記憶されている各スケジュール情報について、計時手段から出力される日付けがスケジュール情報に含まれる事前お知らせ日付けになると、そのスケジュール情報に対応付けられたランプを第１の色に点灯させ、計時手段から出力される日付けがスケジュール情報に含まれる行事当日日付けになると、そのスケジュール情報に対応付けられたランプを第２の色に点灯させ、ランプの点灯状態を確認することにより、また、外部端末にてスケジュール情報を表示させて行事についてのコメントを確認することにより、スケジュールを管理できる機能を付加したものである。
【０００９】
請求項２の発明は、ユーザの宅内に配置されて通信回線を介してインターネットに接続され、監視エリア内をカメラで撮影する宅内装置と、宅内装置にて撮影された画像を通信回線及びインターネットを介して受信すると共に、その画像をインターネット及び電話回線を介して外部端末に送信するサーバ装置とを備えた遠隔見守りシステムにおいて、宅内装置は、ユーザのスケジュールを報知するための異なる複数の色に選択的に点灯可能なランプと、宅内装置の動作を制御する宅内制御手段とを備え、サーバ装置は、外部端末との間で電話回線及びインターネットを介して通信を行い、該外部端末の操作により、行事の当日であることを報知するための行事当日日付け、及び行事の何日か前の日であることを報知するための事前お知らせ日付けを含むスケジュール情報を入力させるスケジュール入力手段を備え、宅内制御手段は、スケジュール入力手段により入力されたスケジュール情報を基に、ランプの点灯動作を制御するスケジュール報知制御手段を備え、該スケジュール報知制御手段は、スケジュール情報に含まれる事前お知らせ日付けになったときと、スケジュール情報に含まれる行事当日日付けになったときとで、ランプを異なる色に点灯させ、ランプの点灯状態を確認することによりスケジュールを管理できる機能を付加したものである。
【００１０】
請求項３の発明は、請求項２に記載の遠隔見守りシステムにおいて、スケジュール入力手段は、行事当日日付け及び事前お知らせ日付けに加え、行事についてのコメントを含むスケジュール情報を入力させ、サーバ装置は、スケジュール入力手段により入力されたスケジュール情報を記憶するスケジュール記憶手段と、スケジュール記憶手段に記憶されたスケジュール情報をインターネット及び電話回線を介して外部端末に表示するスケジュール表示手段とをさらに備え、ランプの点灯状態を確認することに加え、外部端末にてスケジュール情報を表示させて行事についてのコメントを確認することにより、スケジュールを管理できるようにしたものである。
【発明の効果】
【００１１】
請求項１の発明によれば、外部端末を操作して行事当日の日付けと事前お知らせ日の日付けを入力しておくことにより、事前お知らせ日になると、宅内装置のランプが第１の色に点灯し、行事の当日になると、宅内装置のランプが第１の色とは異なる第２の色に点灯する。これにより、宅内装置のランプを確認することで、事前お知らせ日であること及び行事の当日であることを認知でき、スケジュールの管理が可能となる。従って、宅内装置で撮影された宅内の画像を宅外の外部端末により確認できる遠隔見守り機能に加え、スケジュール管理機能を実現できる。
【００１２】
しかも、宅内装置のランプは行事の当日だけでなく事前お知らせ日にも点灯するため、行事の内容によって事前お知らせ日を適宜に設定しておくことにより、準備の必要な行事にも対応してスケジュールを管理することができ、利便性に優れたスケジュール管理機能を実現できる。また、宅内装置のランプは事前お知らせ日と行事の当日とで異なる色に点灯するため、事前お知らせ日と行事の当日とを混同することがなく、利便性に優れたスケジュール管理機能を実現できる。
【００１３】
さらに、行事当日の日付けと事前お知らせ日の日付けに加え、行事についてのコメントを入力しておくことにより、後に、そのコメントを外部端末に表示させて確認することができる。従って、宅内装置のランプによって事前お知らせ日であること及び行事の当日であることを認知できることに加え、外部端末によって行事についてのコメントを認知でき、より利便性に優れたスケジュール管理機能を実現できる。また、宅内装置はランプを複数有しており、行事当日の日付け、事前お知らせ日の日付け、及び行事についてのコメントを各ランプに対応付けて複数入力できるため、複数の行事についてのスケジュールを管理することができ、より利便性に優れたスケジュール管理機能を実現できる。また、行事当日の日付け、事前お知らせ日の日付け、及び行事についてのコメントは宅内の撮影画像を確認するための外部端末を利用して入力するようになっているため、宅内装置にそれらの日付けやコメントを入力するための操作部を設ける必要がなく、宅内装置の簡素化を図りつつスケジュール管理機能を実現できる。
【００１４】
請求項２の発明によれば、外部端末を操作して行事当日の日付けと事前お知らせ日の日付けを入力しておくことにより、事前お知らせ日と行事の当日になると、宅内装置のランプが異なる色で点灯する。これにより、宅内装置のランプを確認することで、事前お知らせ日であること及び行事の当日であることを認知でき、スケジュールの管理が可能となる。従って、宅内装置で撮影された宅内の画像を宅外の外部端末により確認できる遠隔見守り機能に加え、スケジュール管理機能を実現できる。
【００１５】
しかも、宅内装置のランプは行事の当日だけでなく事前お知らせ日にも点灯するため、行事の内容によって事前お知らせ日を適宜に設定しておくことにより、準備の必要な行事にも対応してスケジュールを管理することができ、利便性に優れたスケジュール管理機能を実現できる。また、宅内装置のランプは事前お知らせ日と行事の当日とで異なる色に点灯するため、事前お知らせ日と行事の当日とを混同することがなく、利便性に優れたスケジュール管理機能を実現できる。さらに、行事当日の日付けと事前お知らせ日の日付けは宅内の撮影画像を確認するための外部端末を利用して入力するようになっているため、宅内装置にそれらの日付けを入力するための操作部を設ける必要がなく、宅内装置の簡素化を図りつつスケジュール管理機能を実現できる。
【００１６】
請求項３の発明によれば、行事当日の日付けと事前お知らせ日の日付けに加え、行事についてのコメントを入力しておくことにより、後に、そのコメントを外部端末に表示させて確認することができる。従って、宅内装置のランプによって事前お知らせ日であること及び行事の当日であることを認知できることに加え、外部端末によって行事についてのコメントを認知でき、より利便性に優れたスケジュール管理機能を実現できる。
【発明を実施するための最良の形態】
【００１７】
以下、本発明を具体化した実施形態による遠隔見守りシステムについて図面を参照して説明する。図１は、遠隔見守りシステムの全体構成を示す。この遠隔見守りシステム１は、宅内の様子を宅外から確認可能とする宅内見守りサービスを提供するシステムであり、宅内の様子をカメラで撮影して、その撮影画像を外部に送信する機能を有する宅内装置２と、宅内装置２から送信される画像を受信して、その画像を外部端末３に送信する機能を有するサーバ装置４（Ｗｅｂサーバ）とを備える。宅内装置２は、実運用では本遠隔見守りシステム１のサービス利用者であるユーザ毎に多数あり（図示の例では２ユーザ分を示している）、外部端末３もユーザ毎にある。また、この遠隔見守りシステム１は、ユーザのスケジュールを管理可能とするスケジュール管理機能サービスを提供する。
【００１８】
宅内装置２は、本遠隔見守りシステム１のサービス利用者である各ユーザの宅内に設置されて、ＬＡＮ５、モデム機能内蔵のルータ６、光ファイバやＡＤＳＬ等の通信回線７、及びインターネットサービスプロバイダが管理するアクセスポイント７ａを介してインターネット８に常時接続される。ルータ６には、宅内装置２以外に、例えばパソコン９等の通信機器がＬＡＮ５を介して接続可能になっている。
【００１９】
外部端末３は、本遠隔見守りシステム１による宅内見守りサービスを受けて、自宅外から自宅内の様子を確認するために使用され、また、本遠隔見守りシステム１によるスケジュール管理機能サービスを受けて、ユーザのスケジュールを登録するために使用される。外部端末３は、インターネット８に接続してウェブ情報を表示する機能を有するものが利用可能であり、このような外部端末３としては、携帯電話機やＰＤＡ（Personal Digital Assistant）等がある（図示の例では携帯電話機を示している）。
【００２０】
サーバ装置４は、本遠隔見守りシステム１を運営し、本遠隔見守りシステム１によるサービスを提供するコンピュータである。サーバ装置４は、インターネット８に接続されており、インターネット８及び通信回線７を介して宅内装置２との間で交信されると共に、インターネット８及び携帯電話回線１０を介して外部端末（携帯電話機）３との間で交信される。
【００２１】
本遠隔見守りシステム１は、宅内の様子を宅外から確認可能とする宅内見守りサービスを提供するにあたり、以下のように動作する。宅内装置２は、宅内の様子を撮影し、その撮影画像をサーバ装置４に送信する。サーバ装置４は、宅内装置２から送られてきた画像を、ユーザと対応付けて、インターネット８を介して閲覧可能なウェブサイトとして保存する。ユーザは、外部端末３を用いて、サーバ装置４の管理するウェブサイトに認証を受けてログインし、宅内の撮影画像をサーバ装置４から取得して外部端末３に表示させる。ユーザは、その表示画像を見ることで宅内の様子を確認することができる。このようにして、本遠隔見守りシステム１による宅内見守りサービスが提供される。
【００２２】
また、本遠隔見守りシステム１は、ユーザのスケジュールを管理可能とするスケジュール管理機能サービスを提供するにあたり、以下のように動作する。ユーザは、外部端末３を用いて、サーバ装置４の管理するウェブサイトに認証を受けてログインし、外部端末３を操作して、行事当日の日付け等のスケジュール情報を入力する。外部端末３は、入力されたスケジュール情報をサーバ装置４に送信し、サーバ装置４は、外部端末３から送信されてきたスケジュール情報をユーザの宅内装置２に転送する。宅内装置２は、サーバ装置４から送信されてきたスケジュール情報を基に、行事のある日になると、宅内装置２に設けられたランプを点灯する。ユーザは、宅内装置２のランプの点灯状態を確認することでスケジュールを管理することができる。このようにして、本遠隔見守りシステム１によるスケジュール管理機能サービスが提供される。
【００２３】
図２は、宅内装置２の概略構成を示す。宅内装置２は、宅内の様子を撮影するカメラ２１と、赤外線を受光して人体の有無を検出する人体センサ２２と、ユーザのスケジュールを報知するための第１〜第３のランプ２３ａ〜２３ｃとを備える。また、宅内装置２は、宅内装置２へ電源供給するための電源スイッチ２４と、カメラ２１及び人体センサ２２により宅内の様子を監視する監視モードで宅内装置２を動作させるための監視スイッチ２５とを備える。
【００２４】
第１〜第３のランプ２３ａ〜２３ｃは、各々、赤色と黄色に選択的に点灯可能になっている。第１〜第３のランプ２３ａ〜２３ｃの各々の近傍には、第１〜第３のランプ２３ａ〜２３ｃの各々を識別するための「１」「２」「３」の数字が表記されている。
【００２５】
宅内装置２は、電源スイッチ２４がオン操作されることにより、電源ケーブル３０を介して商用電源から電力供給を受け、ＬＡＮ５を介して信号の送受信が可能な状態になる。そして、宅内装置２は、電源スイッチ２４がオンの状態で監視スイッチ２５がオンの場合は、宅内の様子を監視する監視モードで動作し、また、電源スイッチ２４がオンの状態で監視スイッチ２５がオフの場合は、宅内の様子は監視しないがＬＡＮ５を介した信号の送受信は可能なアイドルモードで動作する。
【００２６】
図３は、宅内装置の電気的ブロック構成を示す。宅内装置２は、上述の構成に加え、宅内装置２を制御するためのＣＰＵ等からなる制御部３１と、外部との間で各種信号を入出力するための信号入出力部３２と、画像処理部３３と、宅内装置２の各種設定を記憶する設定メモリ３４と、ユーザのスケジュールに関するスケジュール情報を記憶するスケジュールメモリ３５と、日時を計測する計時手段であるタイマ３６とを備える。信号入出力部３２には、ＬＡＮ５が接続され、信号入出力部３２を介して各種信号が送受信される。
【００２７】
画像処理部３３は、カメラ２１にて撮影された画像の画像信号を、信号入出力部３２を介して送信するための信号に処理する。設定メモリ３４は、本遠隔見守りシステム１のサービス利用者である各ユーザを個々に識別するユーザＩＤ、宅内装置２の（自己に割当てられた）グローバルＩＰ、サーバ装置４のグローバルＩＰ等を記憶する。
【００２８】
スケジュールメモリ３５は、第１〜第３のランプ２３ａ〜２３ｃに対応して、第１〜第３の３つのスケジュール情報を記憶できるようになっている。スケジュールメモリ３５に記憶される各スケジュール情報は、行事当日の日付け、及び行事が何日か先にあることを事前に知らせる（すなわち行事の何日か前の日であることを知らせる）日である事前お知らせ日の日付け、を含んでいる。スケジュール情報は、外部端末３の操作により入力され、外部端末３からサーバ装置４に送信されて、サーバ装置４から宅内装置２に転送される。スケジュールメモリ３５には、サーバ装置４から転送されてくるスケジュール情報が第１〜第３のランプ２３ａ〜２３ｃに対応付けて記憶される。
【００２９】
タイマ３６は、日時を計測して、日付け及び時刻を出力する。タイマ３６は、電源スイッチ２４がオフされて商用電源からの電力供給が断たれても日時を継続して計測できるように、商用電源とは別の内蔵の電池（不図示）により動作するようになっている。
【００３０】
制御部３１は、電源スイッチ２４がオンされて宅内装置２の電源が立上げられると、まず、アイドルモードで宅内装置２を制御し、その後、監視スイッチ２５がオンされると、監視モードで宅内装置２を制御する。また、制御部３１は、電源スイッチ２４がオンのままで監視スイッチ２５がオフされると、アイドルモードで宅内装置２を制御する。
【００３１】
制御部３１は、監視モードにおいて、ユーザにより設定された所定時間毎（例えば、５秒毎、１分毎、３０分毎等が設定可能である）に、カメラ２１の撮影画像をユーザＩＤと共にサーバ装置４に送信し、また、人体センサ２２に反応が有ったときに、異常が発生した旨の通知をカメラ２１の撮影画像及びユーザＩＤと共にサーバ装置４に送信する。
【００３２】
また、制御部３１は、アイドルモード及び監視モードの両動作モードにおいて、外部端末３の操作を受けてサーバ装置４から送信されてくるユーザのスケジュール情報をスケジュールメモリ３５に記憶する。また、制御部３１は、宅内装置２の電源を立上げたときに、サーバ装置４にスケジュール情報転送要求を送信し、そのスケジュール情報転送要求を受けてサーバ装置４から送信されてくるユーザのスケジュール情報をスケジュールメモリ３５に記憶する。
【００３３】
また、制御部３１は、アイドルモード及び監視モードの両動作モードにおいて、タイマ３６から出力される日付け及び時刻を基に日付けの管理を行い、日付けが変更されると、スケジュールメモリ３５に記憶されているスケジュール情報を基にスケジュール報知処理を行う。また、制御部３１は、宅内装置２の電源を立上げたときにも、スケジュールメモリ３５に記憶されているスケジュール情報を基にスケジュール報知処理を行う。
【００３４】
図４は、外部端末３の電気的ブロック構成を示す。外部端末３は、外部端末３を制御するためのＣＰＵ等からなる制御部４１と、携帯電話回線１０との間で各種信号を送受信するための送受信部４２及びモデム４３と、操作部４４と、表示部４５と、メモリ４６とを備える。送受信部４２は、アンテナ４２ａを介して電波信号の形態で携帯電話回線１０との間で信号を送受信し、モデム４３は、携帯電話回１０との間で送受信する信号を変調し、これら送受信部４２及びモデム４３を介して各種信号が送受信される。
【００３５】
操作部４４は、サーバ装置４の管理するウェブサイトへのログイン、宅内装置２にて撮影された画像の表示、電子メールの送受信、ユーザのスケジュール情報の登録等を行うために操作される。操作部４４は、文字・数字・記号等を入力するための各種操作キーを有しており、各種操作キーが操作されることにより、その操作に対応した信号を制御部４１へ入力する。
【００３６】
表示部４５は、操作部４４にて入力された文字・数字・記号、サーバ装置４の管理するウェブサイトの情報、宅内装置２にて撮影された画像、受信した電子メール、ユーザのスケジュール情報等を表示する。メモリ４６は、各ユーザを個々に識別するユーザＩＤ、外部端末３の（自己に割当てられた）グローバルＩＰ及び電子メールアドレス、サーバ装置４のグローバルＩＰ及びサーバ装置４にて管理されるウェブサイトのＵＲＬ等を記憶する。
【００３７】
制御部４１は、操作部４４の操作に応じて、サーバ４の管理するウェブサイトへのログイン要求、宅内装置２にて撮影された画像の転送要求、ユーザのスケジュール情報等をサーバ装置４に送信する。また、制御部４１は、サーバ装置４から送信されてくる各種信号を受信することにより、サーバ装置４の管理するウェブサイトの情報、宅内装置２にて撮影された画像、受信電子メール、ユーザのスケジュール情報を入力するためのスケジュール入力画面画像、登録されたスケジュール情報等を表示部４５に表示させ、また、操作部４４にて入力された文字・数字・記号等を表示部４５に表示させる。
【００３８】
図５は、サーバ装置４の電気的ブロック構成を示す。サーバ装置４は、サーバ装置４を制御するためのＣＰＵ等からなる制御部５１と、通信回線７を介して各種信号を送受信する通信処理部５２と、画像処理部５３と、記憶装置５４とを備える。画像処理部５３は、宅内装置２から受信した画像信号を処理する。
【００３９】
記憶装置５４は、本遠隔見守りシステム１のサービス利用者である各ユーザを個々に識別するユーザＩＤ及びパスワード、各宅内装置２のグローバルＩＰ、各外部端末３のグローバルＩＰ及びメールアドレス、サーバ装置４のグローバルＩＰ等を記憶する。また、記憶装置５４は、各ユーザの宅内の撮影画像、各ユーザのスケジュール情報等を記憶する。
【００４０】
記憶装置５４は、各ユーザのスケジュール情報として、各宅内装置２の第１〜第３のランプ２３ａ〜２３ｃに対応して、ユーザ毎に第１〜第３の３つのスケジュール情報を記憶できるようになっている。記憶装置５４に記憶される各スケジュール情報は、行事当日の日付け、行事が何日か先にあることを事前に知らせる（すなわち行事の何日か前の日であることを知らせる）日である事前お知らせ日の日付け、及び行事についてのコメントを含んでいる。スケジュール情報は、外部端末３の操作により入力され、外部端末３からサーバ装置４に送信される。記憶装置５４には、外部端末３からサーバ装置４に送信されてくるスケジュール情報が、ユーザ毎に宅内装置２の第１〜第３のランプ２３ａ〜２３ｃに対応付けて記憶される。
【００４１】
制御部５１は、宅内装置２から宅内の撮影画像を受信すると、その撮影画像を記憶装置５４に記憶し、宅内装置２から異常発生の旨の通知を受信すると、その通知を外部端末３に電子メールで送信する。そして、制御部５１は、外部端末３から宅内の撮影画像を表示するための画像転送要求を受信すると、記憶装置５４に記憶されている宅内の撮影画像を外部端末３に転送する。
【００４２】
また、制御部５１は、外部端末３からスケジュール情報を入力／表示するためのスケジュール情報入力／表示要求を受信すると、スケジュール情報入力画面画像を表示するためのデータを外部端末３に送信することにより、スケジュール情報入力画面画像を外部端末３に表示させて、外部端末３の操作によりケジュール情報を入力させる。このとき、制御部５１は、当該ユーザのスケジュール情報が既に記憶装置５４に記憶されている場合には、既に記憶されているスケジュール情報を確認可能及び更新可能なように、スケジュール情報入力画面画像と共に既に記憶されているスケジュール情報を表示させる。そして、制御部５１は、外部端末３の操作によるスケジュール情報の入力が完了すると、外部端末３により入力されたスケジュール情報を当該ユーザに対応付けて記憶装置５４に記憶し、そのスケジュール情報を当該ユーザの宅内装置２に転送する。
【００４３】
図６（ａ）（ｂ）は、上記外部端末３に表示されるスケジュール情報入力画面画像を示す。外部端末３を操作してスケジュール情報を入力するに際して、外部端末３の表示部４５には、まず、図６（ａ）に示すスケジュール情報入力画面画像７０が表示される。
【００４４】
スケジュール情報入力画面画像７０は、カレンダー表示ボタン７１ａ〜７１ｃと、事前お知らせ日選択ボタン７２ａ〜７２ｃと、コメント欄７３ａ〜７３ｃと、更新ボタン７４ａ〜７４ｃと、ＯＫボタン７５と、カーソル７６等の画像を含んでいる。スケジュール情報入力画面画像７０は、外部端末３の操作部４４を操作してカーソル７６を移動させることができ、また、外部端末３の操作部４４を操作してカーソル７６の位置にある画像をクリックできるようになっている。
【００４５】
カレンダー表示ボタン７１ａ、事前お知らせ日選択ボタン７２ａ、コメント欄７３ａ、更新ボタン７４ａは、宅内装置２の第１のランプ２３ａに対応する第１のスケジュール情報を入力するためのものである。また、カレンダー表示ボタン７１ｂ、事前お知らせ日選択ボタン７２ｂ、コメント欄７３ｂ、更新ボタン７４ｂは、宅内装置２の第２のランプ２３ｂに対応する第２のスケジュール情報を入力するためのものであり、カレンダー表示ボタン７１ｃ、事前お知らせ日選択ボタン７２ｃ、コメント欄７３ｃ、更新ボタン７４ｃは、宅内装置２の第３のランプ２３ｃに対応する第３のスケジュール情報を入力するためのものである。
【００４６】
カレンダー表示ボタン７１ａは、第１のスケジュール情報における行事当日の日付けを選択するためのボタンである。カレンダー表示ボタン７１ａには、「カレンダー表示」と表示されており、カレンダー表示ボタン７１ａの左横には、宅内装置２の第１のランプ２３ａに対応していることを示唆するために、第１のランプ２３ａの近傍に表記された「１」（上記図２参照）に対応して「スケジュール１」と表示されている。
【００４７】
カレンダー表示ボタン７１ｂは、第２のスケジュール情報における行事当日の日付けを選択するためのボタンであり、カレンダー表示ボタン７１ｃは、第３のスケジュール情報における行事当日の日付けを選択するためのボタンである。カレンダー表示ボタン７１ｂ、７１ｃには、カレンダー表示ボタン７１ａと同様に「カレンダー表示」と表示されており、カレンダー表示ボタン７１ｂ、７１ｃの左横には、宅内装置２の第２のランプ２３ｂ、第３のランプ２３ｃに対応していることを示唆するために、第２のランプ２３ｂの近傍に表記された「２」、第３のランプ２３ｃの近傍に表記された「３」に対応して、「スケジュール２」、「スケジュール３」と表示されている。
【００４８】
外部端末３の操作部４４を操作して、カーソル７６をカレンダー表示ボタン７１ａ〜７１ｃの何れかの上に移動させ、カレンダー表示ボタン７１ａ〜７１ｃの何れかをクリックすると、外部端末３の表示部４５には、図６（ｂ）に示すスケジュール情報入力画面画像８０が表示される。
【００４９】
スケジュール情報入力画面画像８０は、カレンダー８１と、カレンダー選択ボタン８２、８３と、更新ボタン８４と、カーソル８５等の画像を含んでいる。スケジュール情報入力画面画像８０は、外部端末３の操作部４４を操作してカーソル８５を移動させることができ、また、外部端末３の操作部４４を操作してカーソル８５の位置にある画像をクリックできるようになっている。
【００５０】
カレンダー８１は、月単位で日付けが表示されるようになっている。図示の例では、２００４年８月の日付けが表示されている。外部端末３の操作部４４を操作して、カーソル８５をカレンダー８１の任意の日付け上に移動させて、その日付けをクリックすると、その日付けが行事当日の日付けとして選択され、選択された日付けが例えば白黒反転表示される。
【００５１】
カレンダー選択ボタン８２、８３は、カレンダー８１の表示を月単位で前後に切換えるためのボタンであり、カーソル８５をカレンダー選択ボタン８２上に移動させてカレンダー選択ボタン８２をクリックすると、カレンダー８１の表示が前月のものに切換り、カーソル８５をカレンダー選択ボタン８３上に移動させて、カレンダー選択ボタン８３をクリックすると、カレンダー８１の表示が次月のものに切換る。
【００５２】
なお、カレンダー表示ボタン７１ａをクリックしてスケジュール情報入力画面画像８０を表示させた場合、第１のスケジュール情報が既にサーバ装置４に記憶されていれば、そのスケジュール情報の行事当日の日付けが既にカレンダー８１上に選択された状態（すなわち白黒反転された状態）で、スケジュール情報入力画面画像８０が表示される。また、カレンダー表示ボタン７１ｂをクリックしてスケジュール情報入力画面画像８０を表示させた場合は、第２のスケジュール情報が既にサーバ装置４に記憶されていれば、そのスケジュール情報の行事当日の日付けが既にカレンダー８１上に選択された状態で、スケジュール情報入力画面画像８０が表示され、カレンダー表示ボタン７１ｃをクリックしてスケジュール情報入力画面画像８０を表示させた場合は、第３のスケジュール情報が既にサーバ装置４に記憶されていれば、そのスケジュール情報の行事当日の日付けが既にカレンダー８１上に選択された状態で、スケジュール情報入力画面画像８０が表示される。
【００５３】
更新ボタン８４は、行事当日の日付けを更新するためのボタンであり、更新ボタン７４には「更新」と表示されている。スケジュール情報が既にサーバ装置４に記憶されていることにより行事当日の日付けが既にカレンダー８１上で選択されている場合には、カーソル８５を更新ボタン８４上に移動させて更新ボタン８４をクリックすることにより、カレンダー８１上に既に選択されている日付けを変更して、既に記憶されている行事当日の日付けを変更できるようになる。
【００５４】
カーソル８５をカレンダー８１の任意の日付け上に移動させて日付けをクリックすると、上述のように、その日付けが行事当日の日付けとして選択され、選択された日付けが例えば白黒反転表示される。そして、選択された（すなわち白黒反転された）日付け上にカーソル８５がある状態で、その日付けを再度クリックすると、その日付けが行事当日の日付けに決定され、外部端末３の表示部４５には、再び、図６（ａ）に示すスケジュール情報入力画面画像７０が表示される。
【００５５】
このとき、カレンダー表示ボタン７１ａをクリックしてスケジュール情報入力画面画像８０を表示させていた場合には、選択された日付けは第１のスケジュール情報の行事当日の日付けに決定される。また、カレンダー表示ボタン７１ｂをクリックしてスケジュール情報入力画面画像８０を表示させていた場合には、選択された日付けは第２のスケジュール情報の行事当日の日付けに決定され、カレンダー表示ボタン７１ｃをクリックしてスケジュール情報入力画面画像８０を表示させていた場合には、選択された日付けは第３のスケジュール情報の行事当日の日付けに決定される。
【００５６】
事前お知らせ日選択ボタン７２ａは、第１のスケジュールにおける事前お知らせ日の日付けを選択するためのボタンである。事前お知らせ日選択ボタン７２ａには、「＊日前」と表示されており、事前お知らせ日選択ボタン７２ａの左横には、「事前お知らせ」と表示されている。
【００５７】
カーソル７６を事前お知らせ日選択ボタン７２ａ上に移動させて事前お知らせ日選択ボタン７２ａをクリックすると、事前お知らせ日選択ボタン７２ａをクリックする毎に、事前お知らせ日選択ボタン７２ａの「＊日前」の表示が「１日前」「２日前」「３日前」・・・と順次切換えられる。事前お知らせ日選択ボタン７２ａをクリックして、スケジュール情報入力画面画像８０上で選択、決定された行事当日の日付けより何日前かを選択することにより、事前お知らせ日の日付けが選択される。
【００５８】
事前お知らせ日選択ボタン７２ｂ、７２ｃは、各々、第２、第３のスケジュールにおける事前お知らせ日の日付けを選択するためのボタンである。事前お知らせ日選択ボタン７２ｂ、７２ｃには、事前お知らせ日選択ボタン７２ａと同様に「＊日前」と表示されており、事前お知らせ日選択ボタン７２、７２ｃの左横には、「事前お知らせ」と表示されている。事前お知らせ日選択ボタン７２ｂ、７２ｃは、各々、第２、第３のスケジュール情報に対して、事前お知らせ日選択ボタン７２ａと同様の働きをする。
【００５９】
コメント欄７３ａは、第１のスケジュールにおける行事についてのコメントを入力するための欄である。コメント欄７３ａの左横には、「コメント」と表示されている。カーソル７６をコメント欄７３ａ上に移動させてコメント欄７３ａをクリックすると、コメント欄７３ａに文字や記号等を入力できる状態になり、その状態で操作部４４を操作することにより、コメント欄７３ａに文字・記号等が入力される。コメント欄７３ａには、例えば、「誕生日」「ゴミ捨ての日」「運動会」等、ユーザがスケジュールを管理するのに必要なコメントが入力される。
【００６０】
コメント欄７３ｂ、７３ｃは、各々、第２、第３のスケジュールにおける行事についてのコメントを入力するための欄である。コメント欄７３ｂ、７３ｃの左横には、「コメント」と表示されている。コメント欄７３ｂ、７３ｃは、各々、第２、第３のスケジュール情報に対して、コメント欄７３ａと同様の働きをする。
【００６１】
なお、第１のスケジュール情報が既にサーバ装置４に記憶されている場合には、そのスケジュール情報の事前お知らせ日の日付けが既に事前お知らせ日選択ボタン７２ａの「＊日前」の表示により選択され、また、行事についてのコメントが既にコメント欄７３ａに入力された状態で、スケジュール情報入力画面画像７０が表示される。また、第２、第３のスケジュール情報が既にサーバ装置４に記憶されている場合には、そのスケジュール情報の事前お知らせ日の日付けが既に事前お知らせ日選択ボタン７２ｂ、７２ｃの「＊日前」の表示により選択され、また、行事についてのコメントが既にコメント欄７３ｂ、７３ｃに入力された状態で、スケジュール情報入力画面画像７０が表示される。
【００６２】
更新ボタン７４ａは、第１のスケジュール情報の事前お知らせ日の日付け及び行事についてのコメントを更新するためのボタンであり、更新ボタン７４ａには「更新」と表示されている。第１のスケジュール情報が既にサーバ装置４に記憶されていることにより事前お知らせ日の日付けが既に事前お知らせ日選択ボタン７２ａの「＊日前」の表示により選択され、また、行事についてのコメントが既にコメント欄７３ａに入力されている場合には、カーソル７６を更新ボタン７４ａ上に移動させて更新ボタン７４ａをクリックすることにより、事前お知らせ日選択ボタン７２ａの「＊日前」の表示により既に選択されている日数を変更して、既に記憶されている事前お知らせ日の日付けを変更できるようになり、また、コメント欄７３ａに既に入力されている文字、記号等を変更して、既に記憶されている行事についてのコメントを変更できるようになる。
【００６３】
更新ボタン７４ｂ、７４ｃは、各々、第２、第３のスケジュール情報の事前お知らせ日の日付け及び行事についてのコメントを更新するためのボタンである。更新ボタン７４ｂ、７４ｃには、更新ボタン７４ａと同様に「更新」と表示されている。更新ボタン７４ｂ、７４ｃは、各々、第２、第３のスケジュール情報に対して、更新ボタン７４ａと同様の働きをする。
【００６４】
ＯＫボタン７５は、外部端末３の操作により入力したスケジュール情報を確定し、スケジュール情報の入力を完了するためのボタンであり、ＯＫボタン７５には「ＯＫ」と表示されている。カーソル７６をＯＫボタン７５上に移動させてＯＫボタン７５をクリックすると、外部端末３により入力されたスケジュール情報がサーバ装置４に送信される。
【００６５】
図７（ａ）は、上記サーバ装置４の記憶装置５４に記憶されるスケジュール情報の内容を示す。サーバ装置４の記憶装置５４には、ユーザ毎に、図７（ａ）に示すように、第１〜第３の３つのスケジュール情報（スケジュール１、スケジュール２、スケジュール３）が記憶される。各スケジュール情報（スケジュール１、スケジュール２、スケジュール３）は、行事当日の日付け、事前お知らせ日の日付け、行事についてのコメントを含んでいる。第１のスケジュール情報（スケジュール１）、第２のスケジュール情報（スケジュール２）、第３のスケジュール情報（スケジュール３）は、各々、宅内装置２の第１のランプ２３ａ、第２のランプ２３ｂ、第３のランプ２３ｃに対応付けられている。
【００６６】
記憶装置５４には、上述のように外部端末３の操作により入力されたスケジュール情報が記憶される。図７（ａ）に示す例では、第１のスケジュール情報（スケジュール１）について、行事当日の日付けとして「２００４年８月４日」が記憶され、事前お知らせ日の日付けとして「２００４年７月２８日」が記憶され、行事についてのコメントとして「誕生日」が記憶されている。また、第２のスケジュール情報（スケジュール２）について、行事当日の日付けとして「２００４年８月３１日」が記憶され、事前お知らせ日の日付けが「２００４年８月３０日」記憶され、行事についてのコメントとして「ゴミ捨ての日」が記憶されている。また、第３のスケジュール情報（スケジュール３）について、行事当日の日付けとして「２００４年９月２１日」が記憶され、事前お知らせ日の日付けが「２００４年９月２０日」記憶され、行事についてのコメントとして「運動会」が記憶されている。なお、記憶装置５４に記憶されているスケジュール情報の内容は、外部端末３の操作により新しいスケジュール情報が入力される都度、新しいスケジュール情報が上書き記憶されることにより、更新されてゆく。
【００６７】
記憶装置５４には、このように第１〜第３の３つのスケジュール情報が宅内装置２の第１〜第３のランプ２３ａ〜２３ｃに対応付けて記憶され、これらのスケジュール情報は、該当するユーザの宅内装置２に転送される。なお、スケジュール情報のうち、行事についてのコメントについては、宅内装置２に転送されない。
【００６８】
図７（ｂ）は、上記宅内装置２のスケジュールメモリ３５に記憶されるスケジュール情報の内容を示す。宅内装置２のスケジュールメモリ３５には、図７（ｂ）に示すように、第１〜第３の３つのスケジュール情報（スケジュール１、スケジュール２、スケジュール３）が記憶される。各スケジュール情報（スケジュール１、スケジュール２、スケジュール３）は、行事当日の日付け、事前お知らせ日の日付けを含んでいる。第１のスケジュール情報（スケジュール１）、第２のスケジュール情報（スケジュール２）、第３のスケジュール情報（スケジュール３）は、各々、宅内装置２の第１のランプ２３ａ、第２のランプ２３ｂ、第３のランプ２３ｃに対応付けられている。
【００６９】
スケジュールメモリ３５には、上述のようにサーバ装置４から送信されてきたスケジュール情報が記憶される。従って、図７（ｂ）に示す例では、第１のスケジュール情報（スケジュール１）について、行事当日の日付けとして「２００４年８月４日」が記憶され、事前お知らせ日の日付けとして「２００４年７月２８日」が記憶されている。また、第２のスケジュール情報（スケジュール２）について、行事当日の日付けとして「２００４年８月３１日」が記憶され、事前お知らせ日の日付けが「２００４年８月３０日」記憶されている。また、第３のスケジュール情報（スケジュール３）について、行事当日の日付けとして「２００４年９月２１日」が記憶され、事前お知らせ日の日付けが「２００４年９月２０日」記憶されている。なお、スケジュールメモリ３５に記憶されているスケジュール情報の内容は、サーバ装置４からスケジュール情報が送信されてくる都度、そのスケジュール情報が上書き記憶されることにより、更新されてゆく。
【００７０】
スケジュールメモリ３５には、このように第１〜第３の３つのスケジュール情報が宅内装置２の第１〜第３のランプ２３ａ〜２３ｃに対応付けて記憶され、これらのスケジュール情報を基に、第１〜第３のランプ２３ａ〜２３ｃの点灯動作が制御される。
【００７１】
図８は、上記宅内装置２の電源立上げ時の動作のフローチャートを示す。電源スイッチ２４がオンされた電源立上げ時において、制御部３１は、サーバ装置４にスケジュール情報転送要求を送信して、サーバ装置４からスケジュール情報を取得し（＃１）、そのスケジュール情報をスケジュールメモリ３５に記憶（上記図７（ｂ）参照）する（＃２）。このとき、制御部３１は、サーバ装置４から取得したスケジュール情報をスケジュールメモリ３５に上書き記憶することにより、スケジュールメモリ３５に記憶されているスケジュール情報を更新する。
【００７２】
そして、制御部３１は、スケジュールメモリ３５に記憶されているスケジュール情報を基に、スケジュール報知処理を行う（＃３）。その後、制御部３１は、アイドルモードでの制御を開始する（＃４）。このように、電源立ち上げ時には、スケジュール情報を記憶する処理が行われると共に、スケジュール報知処理が行われる。
【００７３】
図９は、上記宅内装置２のアイドルモード時の動作のフローチャートを示す。アイドルモードにおいて、制御部３１は、監視スイッチ２５がオンされると（＃１１でＹＥＳ）、監視モードでの制御を開始し（＃１２）、監視スイッチ２５がオンされなければ（＃１１でＮＯ）、アイドルモードでの制御を継続する。
【００７４】
そして、制御部３１は、サーバ装置４からユーザのスケジュール情報を受信すると（＃１３でＹＥＳ）、上記＃２と同様に、そのスケジュール情報をスケジュールメモリ３５に記憶する（＃１４）。なお、このときのサーバ装置４から宅内装置２へのスケジュール情報の送信は、外部端末３の操作を受けて行われるものである。また、制御部３１は、タイマ３６から出力される日付け及び時刻を基に、日付けが変ると（＃１５でＹＥＳ）、スケジュールメモリ３５に記憶されているスケジュール情報を基に、上記＃３と同様に、スケジュール報知処理を行う（＃１６）。
【００７５】
制御部３１は、アイドルモードにおいて、上記＃１１〜＃１６の処理を繰り返す。従って、アイドルモードにおいては、サーバ装置４からスケジュール情報を受信したことを受けてスケジュールを記憶する処理が行われると共に、日付けが変るとスケジュール報知処理が行われる。
【００７６】
図１０は、上記宅内装置２の監視モード時の動作のフローチャートを示す。監視モードにおいて、制御部３１は、監視スイッチ２５がオフされると（＃３１でＹＥＳ）、監視モードでの制御を終えてアイドルモードで制御し（＃３２）、監視スイッチ２５がオフされなければ（＃３１でＮＯ）、監視モードでの制御を継続する。
【００７７】
そして、制御部３１は、ユーザにより設定された所定時間（例えば、５秒毎、１分毎、３０分毎等が設定可能である）経過すると（＃３３でＹＥＳ）、そのときカメラ２１にて撮影している画像をキャプチャし（＃３４）、そのキャプチャした撮影画像をユーザＩＤと共にサーバ装置４に送信する（＃３５）。また、制御部３１は、人体センサ２２に反応が有ると（＃３６でＹＥＳ）、そのときカメラ２１にて撮影している画像をキャプチャし（＃３７）、異常が発生した旨の通知を、そのキャプチャした撮影画像及びユーザＩＤと共にサーバ装置４に送信する（＃３８）。
【００７８】
また、制御部３１は、上記アイドルモード時と同様に、サーバ装置４からユーザのスケジュール情報を受信すると（＃３９でＹＥＳ）、そのスケジュール情報をスケジュールメモリ３５に記憶する（＃４０）。また、制御部３１は、上記アイドルモード時と同様に、タイマ３６から出力される日付け及び時刻を基に、日付けが変ると（＃４１でＹＥＳ）、スケジュールメモリ３５に記憶されているスケジュール情報を基に、スケジュール報知処理を行う（＃４２）。
【００７９】
制御部３１は、監視モードにおいて、上記＃３１〜＃４２の処理を繰り返す。従って、監視モードにおいては、カメラ２１及び人体センサ２２により宅内の様子が監視され、また、サーバ装置４からスケジュール情報を受信したことを受けてスケジュールを記憶する処理が行われると共に、日付けが変るとスケジュール報知処理が行われる。
【００８０】
図１１は、上記宅内装置２のスケジュール報知処理のフローチャートを示す。スケジュール報知処理では、まず、制御部３１は、タイマ３６から出力される日付けが、スケジュールメモリ３５に記憶されているスケジュール情報（図７（ｂ）参照）のうち、スケジュール１の事前お知らせ日の日付け（図７（ｂ）に示す例では、２００４年７月２８日）であるか否かを判断する（＃５１）。そして、制御部３１は、スケジュール１の事前お知らせ日の日付けであれば（＃５１でＹＥＳ）、第１のランプ２３ａを黄色に点灯させる（＃５２）。
【００８１】
また、制御部３１は、タイマ３６から出力される日付けがスケジュール１の事前お知らせ日の日付けでなければ（＃５１でＮＯ）、スケジュール１の行事当日の日付け（図７（ｂ）に示す例では、２００４年８月４日）であるか否かを判断し（＃５３）、スケジュール１の行事当日の日付けであれば（＃５３でＹＥＳ）、第１のランプ２３ａを赤色に点灯させる（＃５４）。さらに、制御部３１は、タイマ３６から出力される日付けがスケジュール１の事前お知らせ日と行事当日のどちらの日付けでもなければ（＃５３でＮＯ）、第１のランプ２３ａを消灯させる（＃５５）。
【００８２】
続いて、制御部３１は、タイマ３６から出力される日付けがスケジュール２の事前お知らせ日の日付け（図７（ｂ）に示す例では、２００４年８月３０日）であれば（＃５６でＹＥＳ）、第２のランプ２３ｂを黄色に点灯させ（＃５７）、スケジュール２の行事当日の日付け（図７（ｂ）に示す例では、２００４年８月３１日）であれば（＃５８でＹＥＳ）、第２のランプ２３ｂを赤色に点灯させ（＃５９）、スケジュール２の事前お知らせ日と行事当日のどちらの日付けでもなければ（＃５８でＮＯ）、第２のランプ２３ｂを消灯させる（＃６０）。
【００８３】
続いて、制御部３１は、タイマ３６から出力される日付けがスケジュール３の事前お知らせ日の日付け（図７（ｂ）に示す例では、２００４年９月２０日）であれば（＃６１でＹＥＳ）、第３のランプ２３ｃを黄色に点灯させ（＃６２）、スケジュール３の行事当日の日付け（図７（ｂ）に示す例では、２００４年９月２１日）であれば（＃６３でＹＥＳ）、第３のランプ２３ｃを赤色に点灯させ（＃６４）、スケジュール３の事前お知らせ日と行事当日のどちらの日付けでもなければ（＃６３でＮＯ）、第３のランプ２３ｃを消灯させる（＃６５）。
【００８４】
スケジュール報知処理では、このようにして第１〜第３のランプ２３ａ〜２３ｃの点灯動作がスケジュールメモリ３５に記憶されているスケジュール情報を基に制御され、各ランプ２３ａ〜２３ｃは、一旦点灯されると、日付けが変るまですなわち次の日になるまで、その点灯状態が持続される。
【００８５】
図１２は、上記サーバ装置４の動作のフローチャートを示す。制御部５１は、宅内装置２から宅内の撮影画像を受信すると（＃８１でＹＥＳ）、その撮影画像を、その画像と共に受信されるユーザＩＤと対応付けて、インターネット８を介して閲覧可能なウェブサイトとして記憶装置５４に保存する（＃８２）。
【００８６】
また、制御部５１は、宅内装置２から異常が発生した旨の通知を受信すると（＃８３でＹＥＳ）、異常が発生した旨の通知を外部端末３に電子メールで送信し（＃８４）、異常が発生した旨の通知と共に受信される宅内の撮影画像を、その通知と共に受信されるユーザＩＤと対応付けて、インターネット８を介して閲覧可能なウェブサイトとして記憶装置５４に保存する（＃８２）。
【００８７】
また、制御部５１は、外部端末３からサーバ装置４の管理するウェブサイトへのログイン要求を受信すると（＃８５でＹＥＳ）、ユーザＩＤ及びパスワード等により正当なユーザによる要求であるか否かの認証を行い、正当なユーザによる要求であると認証される場合に、ウェブサイトへのログインを許可する（＃８６）。
【００８８】
その後、制御部５１は、外部端末３から画像転送要求を受信すると（＃８７でＹＥＳ）、その画像転送要求と共に受信されるユーザＩＤを基に、そのユーザＩＤに対応付けて記憶装置５４に保存している宅内の撮影画像を外部端末３に転送する（＃８８）。これにより、外部端末３では、ユーザ宅の宅内の撮影画像が表示され、ユーザは、その表示画像を見ることで宅内の様子を確認することができる。
【００８９】
一方、制御部５１は、外部端末３からスケジュール情報入力／表示要求を受信すると（＃８９でＹＥＳ）、スケジュール情報入力画面画像（上記図６（ａ）（ｂ）参照）を表示するためのデータを外部端末３に送信して、外部端末３にスケジュール情報入力画面画像を表示させる（＃９０）。このとき、既にスケジュール情報が記憶装置５４に記憶されている場合には、既に記憶されているスケジュール情報を確認可能及び更新可能なように、スケジュール情報入力画面画像と共に既に記憶されているスケジュール情報を表示させる。これにより、ユーザは、既にスケジュール情報を登録している場合には、そのスケジュール情報の内容を確認することができる。
【００９０】
そして、制御部５１は、外部端末３の操作により入力されたスケジュール情報を、ユーザＩＤと対応付けて記憶装置５４に記憶する（＃９１）。これにより、外部端末３を操作して入力したスケジュール情報がサーバ装置４に登録される。その後、制御部５１は、記憶装置５４に記憶したスケジュール情報を、当該ユーザＩＤの宅内装置２に転送する（＃９２）。
【００９１】
また、制御部５１は、宅内装置２からスケジュール情報転送要求を受信すると（＃９３でＹＥＳ）、記憶装置５４に記憶したスケジュール情報を、その宅内装置２に転送する（＃９２）。宅内装置２に転送されたスケジュール情報は、上述のように宅内装置２のスケジュールメモリ３５に記憶され、宅内装置２では、上述のように、スケジュール報知処理により、スケジュールメモリ３５に記憶されているスケジュール情報を基に、第１〜第３のランプ２３ａ〜２３ｃの点灯動作が制御される。
【００９２】
このような構成の遠隔見守りシステム１によれば、外部端末３を操作して第１のスケジュール情報として行事当日の日付けと事前お知らせ日の日付けを入力しておくことにより、第１のスケジュール情報の事前お知らせ日になると、宅内装置２の第１のランプ２３ａが黄色に点灯し、第１のスケジュール情報の行事当日になると、第１のランプ２３ａが赤色に点灯する。
【００９３】
また、外部端末３を操作して第２のスケジュール情報として行事当日の日付けと事前お知らせ日の日付けを入力しておくことにより、第２のスケジュール情報の事前お知らせ日になると、宅内装置２の第２のランプ２３ｂが黄色に点灯し、第２のスケジュール情報の行事当日になると、第２のランプ２３ｂが赤色に点灯する。さらに、外部端末３を操作して第３のスケジュール情報として行事当日の日付けと事前お知らせ日の日付けを入力しておくことにより、第３のスケジュール情報の事前お知らせ日になると、宅内装置２の第３のランプ２３ｃが黄色に点灯し、第３のスケジュール情報の行事当日になると、第３のランプ２３ｃが赤色に点灯する。
【００９４】
これにより、宅内装置２の第１〜第３のランプ２３ａ〜２３ｃを確認することで、第１〜第３のスケジュールについて、事前お知らせ日であること及び行事の当日であることを認知でき、スケジュールの管理が可能となる。従って、宅内装置２で撮影された宅内の画像を宅外の外部端末３により確認できる遠隔見守り機能に加え、スケジュール管理機能を実現できる。
【００９５】
しかも、宅内装置２の第１〜第３のランプ２３ａ〜２３ｃは行事の当日だけでなく事前お知らせ日にも点灯するため、事前お知らせ日を適宜に設定しておくことにより、準備の必要な行事にも対応してスケジュールを管理することができる。また、第１〜第３のランプ２３ａ〜２３ｃは事前お知らせ日と行事の当日とで異なる色に点灯するため、事前お知らせ日と行事の当日とを混同することがない。
【００９６】
さらに、各スケジュール情報について、外部端末３を操作して、行事当日の日付けと事前お知らせ日の日付けに加え、行事についてのコメントを入力しておくことにより、後に、そのコメントを外部端末３に表示させて確認することができる。従って、宅内装置２の第１〜第３のランプ２３ａ〜２３ｃによって事前お知らせ日であること及び行事の当日であることを認知できることに加え、外部端末３によって行事についてのコメントを認知でき、より利便性に優れたスケジュール管理機能を実現できる。
【００９７】
また、宅内の撮影画像を確認するための外部端末３を利用してスケジュール情報を入力するため、宅内装置２にスケジュール情報を入力するための操作部を設ける必要がなく、宅内装置２の簡素化を図りつつスケジュール管理機能を実現できる。
【００９８】
なお、本発明は、上記実施形態の構成に限られず、種々の変形が可能である。例えば、第１〜第３のランプ２３ａ〜２３ｃは、各々、赤色と黄色に選択的に点灯可能なものに限られず、異なる２つの色に選択的に点灯可能なものであれば、どのような色に点灯するものであってもよい。事前お知らせによる第１〜第３のランプ２３ａ〜２３ｃの点灯は、事前お知らせ日だけでなく、事前お知らせ日から行事当日になるまで毎日行ってもよい。
【００９９】
また、宅内装置２に液晶等の表示部を設け、外部端末３の操作により入力した行事についてのコメントを、サーバ装置４から宅内装置２に転送して、宅内装置２の表示部に表示するようにしてもよい。宅内装置２にスケジュールメモリ３５及びタイマ３６を設けず、サーバ装置４の記憶装置５４に記憶しているスケジュール情報を基に、サーバ装置４から宅内装置２の第１〜第３のランプ２３ａ〜２３ｃの点灯動作を制御する制御命令を送信し、宅内装置２がサーバ装置４からの制御命令を受けて第１〜第３のランプ２３ａ〜２３ｃを点灯、消灯するようにしてもよい。宅内装置２は、インターネット８に常時接続されるものに限られず、ダイヤルアップ接続されるものであってもよい。
【図面の簡単な説明】
【０１００】
【図１】本発明の一実施形態に係る遠隔見守りシステムの概略構成を示すシステム構成図。
【図２】同遠隔見守りシステムの宅内装置の概略構成を示す斜視図。
【図３】同宅内装置の概略構成を示す電気的ブロック構成図。
【図４】同遠隔見守りシステムの外部端末の概略構成を示す電気的ブロック構成図。
【図５】同遠隔見守りシステムのサーバ装置の概略構成を示す電気的ブロック構成図。
【図６】（ａ）（ｂ）は同遠隔見守りシステムの外部端末に表示されるスケジュール情報入力画面画像を示す図。
【図７】（ａ）は同遠隔見守りシステムのサーバ装置に記憶されるスケジュール情報の内容を示す図、（ｂ）は宅内装置に記憶されるスケジュール情報の内容を示す図。
【図８】同遠隔見守りシステムの宅内装置の電源立上げ時の動作を示すフローチャート。
【図９】同宅内装置のアイドルモード時の動作を示すフローチャート。
【図１０】同宅内装置の監視モード時の動作を示すフローチャート。
【図１１】同宅内装置のスケジュール報知処理の動作を示すフローチャート。
【図１２】同遠隔見守りシステムのサーバ装置の動作を示すフローチャート。
【符号の説明】
【０１０１】
１    遠隔見守りシステム
２    宅内装置
３    外部端末
４    サーバ装置
７    通信回線
８    インターネット
１０    携帯電話回線
２１    カメラ
２２    人体センサ
２３ａ    第１のランプ
２３ｂ    第２のランプ
２３ｃ    第３のランプ
２４    電源スイッチ
２５    監視スイッチ
３１    制御部（スケジュール記憶制御手段、スケジュール報知制御手段）
３５    スケジュールメモリ
３６    タイマ（計時手段）
４４    操作部
４５    表示部
５１    制御部（スケジュール入力手段、スケジュール転送手段、スケジュール表示手段）
５４    記憶装置（スケジュール記憶手段）
【図１】
2006135610.tif 000003
【図２】
2006135610.tif 000004
【図３】
2006135610.tif 000005
【図４】
2006135610.tif 000006
【図５】
2006135610.tif 000007
【図６】
2006135610.tif 000008
【図７】
2006135610.tif 000009
【図８】
2006135610.tif 000010
【図９】
2006135610.tif 000011
【図１０】
2006135610.tif 000012
【図１１】
2006135610.tif 000013
【図１２】
2006135610.tif 000014